(57)【要約】 【課題】  保護具の着脱時に、保護具に付着した薬品等が人体に接触しない保護具を提供する。【解決手段】  作業者が装着する保護具であって、保護具本体部１４と、保護具本体部１４に設けられた少なくとも１つ以上の係止部１６と、着脱用保護具１０と、着脱用保護具１０に、保護具本体部１４に設けられた係止部１６の位置に対応して設けられた係止部１２と、を備え、着脱用保護具１０が、保護具本体部１４と着脱用保護具１０とにそれぞれ設けられる係止部１６，１２によって保護具本体部１４と着脱可能であることを特徴とする。【選択図】        図３
2006183183.tif 000002
【特許請求の範囲】
【請求項１】
作業者が装着する保護具であって、
保護具本体部と、
前記保護具本体部に設けられた少なくとも１つ以上の係止部と、
着脱用保護具と、
前記着脱用保護具に、前記保護具本体部に設けられた前記係止部の位置に対応して設けられた係止部と、を備え、
前記着脱用保護具が、前記保護具本体部と前記着脱用保護具とにそれぞれ設けられた前記係止部によって前記保護具本体部と着脱可能であることを特徴とする保護具。
【請求項２】
前記保護具本体部の前記係止部が、前記保護具本体部の上部に設けられたことを特徴とする請求項１に記載の保護具。
【発明の詳細な説明】
【技術分野】
【０００１】
本発明は、保護具に関する。特に、半導体装置の製造工程において作業者が装着する保護具に関するものである。
【背景技術】
【０００２】
従来から、半導体装置の製造工程において、従業者は、塩酸、硫酸等の薬品や溶剤を取り扱う場合がある。係る塩酸等の薬品は、人体への危険性がかなり高いものである。そのため、作業中の不意の薬品の飛沫等による事故を回避するため、作業員は保護具を全身に装着して作業を行っている。この保護具は、上記塩酸等の薬品に耐性を有する材料から構成され、例えば、保護具の綿布にニトフロン（ＰＴＦＥ）コーティングしたものが採用されている。
【０００３】
ここで、従来の保護具の外形について図４を参照して簡単に説明する。
図４に示すように、従来の保護具２０は、胸前掛けタイプのものであり、従業者の全身を保護するエプロン本体部２２と、エプロン本体部２２を従業者に固定させる胴回り固定部２４と、首回り固定部２６と備えた構成となっている。保護具２０を装着する際には、まず、従業者は、首回り固定部２６に従業者の首を通し、次に、胴回り固定部２４を従業者の背面部等で結ぶことにより、エプロン本体部２２を従業者の全身に固定する。これにより、保護具２０によって作業者の全身が覆われるため、薬品等が作業者の皮膚に直接付着することを回避することができる。そして、作業終了後の脱衣の際には、上記保護具２０装着時とは逆に、まず、胴回り固定部２４の結びをほどき、次に、首回り固定部２６を首からはずすことにより、エプロン本体部２２を脱衣する（非特許文献１参照）。
【非特許文献１】アズワン株式会社［平成１６年１０月１４日検索］、インターネット<URL:http://www.justis.as-1.co.jp/jus-tis/web/JProductDetail.aspx?pProductNo=06098201&pGroupCd=G139104&pReturnURL=JProductSearchPhotoResult.aspx%3fpPageIndex%3d1%26pHReturnURL%3d%2fjus-tis%2fweb%2fJProductSearch.aspx&pHReturnURL=/jus-tis/web/JProductSearch.aspx>
【発明の開示】
【発明が解決しようとする課題】
【０００４】
しかしながら、上記非特許文献１に記載される保護具では、以下のような問題があった。つまり、保護具の装着の際には、エプロン本体部の首回り固定部、胴回り固定部を作業者に固定させ、脱衣の際には、首回り固定部、胴回り固定部を作業者からはずさせなければならなかった。これにより、従来の保護具では装着，脱衣の際に複数の着脱動作が必要となり、着脱が面倒であるという問題があった。またこれに伴い、保護具の着脱に時間を要してしまい、作業の迅速性に欠け、作業に遅延が発生してしまうという問題もあった。
本願発明は、上記課題に鑑みてなされたものであり、その目的は、保護具の着脱時の動作が容易となる保護具を提供することにある。
【課題を解決するための手段】
【０００５】
本願発明は、上記課題を解決するために、作業者が装着する保護具であって、保護具本体部と、前記保護具本体部に設けられた少なくとも１つ以上の係止部と、前記着脱用保護具と、前記着脱用保護具に、前記保護具本体部に設けられた前記係止部の位置に対応して設けられた係止部と、を備え、前記着脱用保護具が、前記保護具本体部と前記着脱用保護具とにそれぞれ設けられる前記係止部によって前記保護具本体部と着脱可能であることを特徴とする。
【０００６】
この構成によれば、着脱用保護具の係止部を保護具本体部の係止部に係止させることにより保護具本体部に着脱用保護具が係着される。これにより、着脱用保護具が作業者に固着される。一方で、着脱用保護具の係止部を保護具本体部の係止部からはずすことにより、保護具本体部から着脱用保護具が離反される。これにより、保護具が作業者から脱衣される。
従って、本願発明によれば、着脱用保護具及び保護具本体部に係止部を設けることにより、容易に着脱用保護具を作業者に固定（装着）させ、一方で作業者から離反させることができる。そのため、保護具の着脱動作が単純かつ容易となり、保護具の着脱時間を短縮することができる。よって、迅速に作業に取り掛かることができ、作業効率を向上させることが可能となる。
【０００７】
また本発明の保護具は、前記保護具本体部の前記係止部が、前記保護具本体部の上部に設けられることも好ましい。
この構成によれば、保護具本体部の係止部が上部に設けられているため、着脱用保護具を保護具本体部の上部に装着することができ、作業者の全身を覆うことが可能となる。
【発明の効果】
【０００８】
本発明の保護具によれば、保護具の着脱動作が単純かつ容易となり、保護具の着脱時間を短縮することができる。またこれに伴い、迅速に作業に取り掛かることができ、作業効率を向上させることが可能となる。
さらに、本発明の保護具によれば、例えば作業中に薬品等が付着した着脱用保護具を脱衣する場合であっても、作業者の首、顔を通すことなく着脱用保護具を白衣本体部から脱衣させることができる。従って、安全性を確保した脱着可能な保護具を提供することができる。
【発明を実施するための最良の形態】
【０００９】
以下、本発明の実施形態につき、図面を参照して説明する。なお、以下の説明に用いる各図面では、各部材を認識可能な大きさとするため、各部材の縮尺を適宜変更している。
【００１０】
図１は、作業者が半導体製造工程において着用する白衣１８（保護具本体部）を模式的に示した図である。なお、本実施形態において、作業者の前身に対応する白衣部分を前面と称し、作業者の後身に対応する白衣部分を背面と称する。
図１に示すように、白衣１８は、通常半導体製造工程のクリーンルーム内で装着する公知の白衣を用いている。具体的には、本実施形態における白衣１８は、作業者の前身から背面を覆う白衣本体部１４と作業者の腕全体を覆う袖部とが連続して一体に形成されている。そして、白衣本体部１４には、例えば、白衣本体部１４前面の長手方向に沿ってファスナーが設けられおり、前面開き可能な構成となっている。白衣本体部１４の身丈Ｈ１は、白衣を装着する作業者の身長、体重等に基づいて設定されている。
【００１１】
白衣本体部１４は、例えば、綿布を主成分とした材料によって形成され、この綿布表面にはニトフロンがコーティングされている。これにより、例えば、約１０パーセントの塩酸、硝酸等の薬品に耐性を有することになり、薬品の不意の飛沫に対する事故防止をすることができるようになっている。
【００１２】
また、白衣本体部１４の前面には、係止部１６（１６ａ，１６ｂ）が設けられている。具体的には、係止部１６ａ，１６ｂは、白衣本体部１４前面の肩部から胸部の間の位置にそれぞれ固着されている。つまり、係止部１６ａ，１６ｂは、作業者の腕の届く範囲内の白衣本体部１４に設けられている。係止部１６ａ，１６ｂは、図１に示すように平面視矩形状に形成され、後述する係止部と確実に固着することができ、かつ、外部からの所定の力によって脱着することができるような面積となっている。係止部１６ａ，１６ｂ表面には、マジックテープ（登録商標）を構成する微細な環状のフック部が複数設けられている。また、係止部１６ａ、１６ｂは、平面視矩形状に設けられる係止部１６ａ、１６ｂの中心を通過する通過軸Ｌ１が、白衣本体部１４に対して水平（傾きがない）となるような位置に固着させることが好ましい。
【００１３】
図２は、半導体製造工程において作業者を薬品等の飛沫から保護するための着脱用保護具を模式的に示した平面図である。
図２に示すように、着脱用保護具１０は、平面視略長方形状に形成されている。着脱用保護具１０の短手方向の幅Ｗ２は、作業者の両肩部間の長さと略等しいか、あるいは短くなるように形成されている。一方、着脱用保護具１０の長手方向の長さＨ２は、作業者の首部よりも下方であって作業者の膝部よりも上方の範囲の長さとなるように形成されている。着脱用保護具１０が作業者の首部よりも上方である場合には、作業者の視野を狭めてしまう場合があり、作業者の膝部よりも下方である場合には、着脱用保護具１０が地面に接触してしまう場合があるからである。
【００１４】
また、着脱用保護具１０は、例えば綿布を材料として形成されている。そして、着脱用保護具１０の表面側は、タイベックによりコーティング加工されており、薬品等に対して耐性を有している。ここで、本実施形態においては、作業者の胴体部側を着脱用保護具１０の裏面側とし、その反対側を表面側とする。着脱用保護具１０の裏面側に対しても、同様にタイベックにより表面をコーティング加工することも可能である。なお、本実施形態では、着脱用保護具１０の表面側をタイベックによりコーティング加工したが、タイベック以外の材料であっても、薬品等に対して耐性を有する保護材であれば種々の材料を適用することが可能である。
【００１５】
また、着脱用保護具１０の裏面側には、係止部１２（１２ａ、１２ｂ）が設けられている。係止部１２ａ、１２ｂは、白衣本体部１４に設けられた係止部１６ａ、１６ｂのそれぞれの位置に対応して着脱用保護具１０に設けられている。具体的に、係止部１２ａ、１２ｂは着脱用保護具１０上方の端部よりも少し下に固着して設けられ、係止部１２ａと１２ｂ間の幅Ｗ３は、白衣本体部１４に形成された係止部１６ａ、１６ｂの幅Ｗ１と略等しくなっている。このとき、係止部１２ａ、１２ｂは、平面視略矩形状に設けられる係止部１２ａ、１２ｂの中心を通過する通過軸Ｌ２が、着脱用保護具１０の平面視短辺方向と略平行となるように配設することが好ましい。また、係止部１２の表面には、マジックテープ（登録商標）を構成する微細なかぎ状のフック部が複数設けられている。
【００１６】
図３は、白衣本体部１４に着脱用保護具１０を係着させた保護具３０を示した図である。
図３に示すように、白衣本体部１４に着脱用保護具１０が係着され、白衣本体部１４に着脱用保護具１０が固定されている。具体的には、白衣本体部１４に固着して設けられた係止部１６と着脱用保護具１０に固着して設けられた係止部１２とが貼り合わされている。つまり、上述したように、係止部１２に形成されたかぎ状のフック部が、係止部１６に形成された環状のループ部に押圧されて係わり合って互いに固定された状態を維持している。このとき、図３に示すように、上述した白衣本体部１４の係止部１６ａ、１６ｂの通過軸Ｌ１と、着脱用保護具１０の係止部１２ａ、１２ｂの通過軸Ｌ２とが略平行となるように重ね合わせて係着されている。
【００１７】
以上説明したように、本実施形態によれば、着脱用保護具１０及び白衣本体部１４に係止部１２，１６を設けることにより、容易に着脱用保護具１０を作業者に固定（装着）させ、一方で作業者から離反させることができる。これにより、保護具３０の着脱動作が単純かつ容易となり、保護具３０の着脱時間を短縮することができる。またこれに伴い、迅速に作業に取り掛かることができ、作業効率を向上させることが可能となる。
さらに、本実施形態によれば、例えば作業中に薬品等が付着した着脱用保護具１０を脱衣する場合であっても、作業者の首、顔を通すことなく着脱用保護具１０を白衣本体部１４から脱衣させることができる。従って、安全性を確保した脱着可能な保護具３０を提供することができる。
【００１８】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００１９】
例えば、上記実施形態では、マジックテープ（登録商標）を用いて、着脱用保護具１０を白衣本体部１４に固着させていた。これに対し、マジックテープ（登録商標）に代えて、フリーマジック（登録商標）ボタン、着脱可能な接着剤又はゲル剤等を用いることにより、着脱用保護具１０を白衣本体部１４に固着させることも可能である。
また、上記実施形態では、白衣本体部１４の２箇所に係止部１６を設け、着脱用保護具１０の２箇所に係止部１２を設けて、かかる係止部１６と係止部１２と対応させて貼り合わせ固着することによって、白衣本体部１４に着脱用保護具１０を装着していた。これに対し、白衣本体部１４に複数の係止部１６を設け、着脱用保護具１０に白衣本体部１４の係止部１６の位置に対応した位置に複数の係止部１２を設けることにより、白衣本体部１４に着脱用保護具１０を装着することも可能である。これによれば、白衣本体部１４に着脱用保護具１０をより安定させて固着させることができる。
また、上記実施形態では、着脱用保護具１０及び白衣本体部１４のそれぞれに設けられる係止部１２，１６の平面視形状を矩形として説明したが、これに限定されることはなく、種々の形状を採用することが可能である。
さらに、上記実施形態では、着脱用保護具１０の形状を平面視略長方形状に形成していたが、これに限定されることなく、種々の形状を採用することが可能である。例えば、着脱用保護具１０を白衣本体部１４の前面の形状に対応させて、作業者の胴体部を覆うだけでなく、作業者の腕部等を覆うような形状とすることも好ましい。
【図面の簡単な説明】
【００２０】
【図１】白衣の外観構成を示した図である。
【図２】着脱用保護具の外観構成を示した図である。
【図３】白衣に着脱用保護具を取り付けた外観構成を示した図である。
【図４】従来の着脱用保護具の外観構成を示した展開図である。
【符号の説明】
【００２１】
１０…着脱用保護具、  １２…係止部、  １４…白衣本体部、  １６…係止部、  １８…白衣（保護具本体部）、  ３０…保護具
【図１】
2006183183.tif 000003
【図２】
2006183183.tif 000004
【図３】
2006183183.tif 000005
【図４】
2006183183.tif 000006